(57)【要約】【課題】電子部品を簡単に取り外すことができるワイヤハーネス及び電子部品付きハウジングを提供する。【解決手段】ワイヤハーネス１は、四本の導体を備えるフラットケーブル３と、四本の導体に対して接続された八つのケーブル用端子と、ＬＥＤを備えるカートリッジ５と、カートリッジ５を支持するハウジング６と、を有する。ＬＥＤには、六つのケーブル用端子に対して接続される六つの電子部品用端子が取り付けられており、ハウジング６は、ＬＥＤ及びフラットケーブル３が電気的に接続された状態を維持する。【選択図】図１
2009277548.tif 000002
【特許請求の範囲】
【請求項１】
導体を備える平型柔軟ケーブルと、
前記導体に対して接続されたケーブル用端子と、
電子部品を備えるカートリッジと、
前記カートリッジを支持するハウジングと、を有し、
前記電子部品には、前記ケーブル用端子に対して接続される電子部品用端子が取り付けられており、
前記ハウジングは、前記電子部品及び前記平型柔軟ケーブルが電気的に接続された状態を維持することを特徴とするワイヤハーネス。
【請求項２】
前記カートリッジは、スライド移動して、前記ハウジングに対して取り付けられ、
前記ハウジングは、第１ハウジング及び第２ハウジングを備えており、
前記第１ハウジングは、撓み変形が可能なアーム部を備え、
当該アーム部の先端には、抜け止め用突出部が形成され、
前記抜け止め用突出部は、前記カートリッジの前記スライド移動の方向に関して、前記カートリッジが抜けないように、前記カートリッジに引っ掛かり、
前記第２ハウジングは、前記抜け止め用突出部が前記前記カートリッジから外れないように、前記アーム部の撓み変形を抑制することを特徴とする請求項１に記載のワイヤハーネス。
【請求項３】
導体を備える平型柔軟ケーブルに対して取り付けられる、電子部品付きハウジングであって、
電子部品を備えるカートリッジと、
前記カートリッジを支持するハウジングと、を有し、
前記電子部品には、電子部品用端子が取り付けられており、
前記電子部品用端子は、前記導体に対して接続されたケーブル用端子に対して接続され、
前記ハウジングは、前記電子部品及び前記平型柔軟ケーブルが電気的に接続された状態を維持することを特徴とする電子部品付きハウジング。
【請求項４】
前記カートリッジは、スライド移動して、前記ハウジングに対して取り付けられ、
前記ハウジングは、第１ハウジング及び第２ハウジングを備えており、
前記第１ハウジングは、撓み変形が可能なアーム部を備え、
当該アーム部の先端には、抜け止め用突出部が形成され、
前記抜け止め用突出部は、前記カートリッジの前記スライド移動の方向に関して、前記カートリッジが抜けないように、前記カートリッジに引っ掛かり、
前記第２ハウジングは、前記抜け止め用突出部が前記前記カートリッジから外れないように、前記アーム部の撓み変形を抑制することを特徴とする請求項３に記載の電子部品付きハウジング。
【発明の詳細な説明】
【技術分野】
【０００１】
本発明は、平型柔軟ケーブルに対して、ＬＥＤなどの電子部品を取り付けるための技術に関する。
【背景技術】
【０００２】
ＦＦＣなどの平型柔軟ケーブルに対して電子部品を取り付けるための技術が、特許文献１及び特許文献２に記載されている。特許文献１の電子部品実装配線体において、電子部品（ＬＥＤ等）は、フラットケーブルのフラット導体に実装されている。そして、当文献には、電子部品のリード部と、フラット導体との接続方法として、溶接、半田付け、かしめ、突き刺し型接続などが記載されている。
【０００３】
また、特許文献２の技術においては、ＬＥＤのリード部分に、クリンプ片を有する端子が取り付けられ、電子部品であるＬＥＤと端子とが一体化された電子部品ユニットが形成されている。この技術では、端子のクリンプ片をフラットケーブルに突き刺し、その後、クリンプ片の先端を曲げることにより、電子部品とフラットケーブルとが接続される。
【０００４】
【特許文献１】特開２００４−２４７２８１号公報
【特許文献２】特開２００８−４１６５７号公報
【発明の開示】
【発明が解決しようとする課題】
【０００５】
平型柔軟ケーブルに取り付けられた電子部品については、再利用、交換等のために、ケーブルから取り外される場合がある。しかし、特許文献１及び特許文献２に記載されている技術では、電子部品が、平型柔軟ケーブルに対して、突き刺し接続などによって取り付けられているために、電子部品を破損させずに、ケーブルから電子部品のみを取り外すことは困難である。
【０００６】
そこで、本発明の目的は、電子部品を簡単に取り外すことができるワイヤハーネス及び電子部品付きハウジングを提供することである。
【課題を解決するための手段】
【０００７】
上記の課題を解決するために、本発明に係るワイヤハーネスは、導体を備える平型柔軟ケーブルと、前記導体に対して接続されたケーブル用端子と、電子部品を備えるカートリッジと、前記カートリッジを支持するハウジングと、を有し、前記電子部品には、前記ケーブル用端子に対して接続される電子部品用端子が取り付けられており、前記ハウジングは、前記電子部品及び前記平型柔軟ケーブルが電気的に接続された状態を維持する。
【０００８】
この構成では、電子部品がカートリッジに含まれており、このカートリッジが、平型柔軟ケーブルに直接取り付けられるのではなく、ハウジングに対して取り付けられる。また、平型柔軟ケーブルの導体には、ケーブル用端子が取り付けられており、電子部品は、導体に直接接続されるのではなく、このケーブル用端子に対して電気的に接続される。そして、ハウジングによって、電子部品及び平型柔軟ケーブルの電気的接続が維持される。このような構成によると、電子部品を平型柔軟ケーブルに対して直接取り付けることなく、電子部品と平型柔軟ケーブルとを電気的に接続できるので、電子部品を簡単に取り外すことができる。
【０００９】
なお、カートリッジは、電子部品及び電子部品用端子を含み、且つ交換可能な部品である。カートリッジは、電子部品及び電子部品用端子のみから構成されてもよいし、電子部品を収容できるようなハウジングを備えていてもよい。
【００１０】
また、電子部品としては、ＬＥＤなどの発光体、センサーなどを利用できる。また、平型柔軟ケーブルには、ＦＦＣ（Flexible Flat Cable）、及び、ＦＰＣ（Flexible printed circuit）が含まれる。
【００１１】
また、ハウジングは、電子部品が平型柔軟ケーブルから外れないように、カートリッジを支持する。その支持方法としては、例えば、ばね状のケーブル用端子に対して押し付けられたカートリッジを、ハウジングに設けられた複数の突出部により支持してもよいし、ハウジングによって、カートリッジの周囲を囲うように支持してもよい。また、ハウジングに蓋部が形成されており、カートリッジ収容空間に収容されたカートリッジが抜けないように、蓋部によってカートリッジを支持してもよい。
【００１２】
本発明に係るワイヤハーネスにおいて、前記カートリッジは、スライド移動して、前記ハウジングに対して取り付けられ、前記ハウジングは、第１ハウジング及び第２ハウジングを備えており、前記第１ハウジングは、撓み変形が可能なアーム部を備え、当該アーム部の先端には、抜け止め用突出部が形成され、前記抜け止め用突出部は、前記カートリッジの前記スライド移動の方向に関して、前記カートリッジが抜けないように、前記カートリッジに引っ掛かり、前記第２ハウジングは、前記抜け止め用突出部が前記前記カートリッジから外れないように、前記アーム部の撓み変形を抑制してもよい。
【００１３】
この構成によると、スライド移動によって、カートリッジを、簡易且つ確実にハウジングに取り付けることができる。また、第２ハウジングによってアーム部の撓み変形が防止されるので、ハウジングとカートリッジとの分離が抑制される。また、アーム部が撓むために、抜け止め用突出部によってカートリッジの挿入が阻まれず、ハウジングに対してカートリッジを簡単に取り付けることができる。
【００１４】
なお、第１ハウジング及び第２ハウジングは、分離していてもよいし、これらがヒンジなどによって連結されていてもよい。また、アーム部は、例えば、カートリッジの底部を支持するように構成されていてもよい。
【００１５】
また、上記の課題を解決するために、本発明に係る電子部品付きハウジングは、導体を備える平型柔軟ケーブルに対して取り付けられるものであって、電子部品を備えるカートリッジと、前記カートリッジを支持するハウジングと、を有し、前記電子部品には、電子部品用端子が取り付けられており、前記電子部品用端子は、前記導体に対して接続されたケーブル用端子に対して接続され、前記ハウジングは、前記電子部品及び前記平型柔軟ケーブルが電気的に接続された状態を維持する。
【００１６】
この構成によると、電子部品を平型柔軟ケーブルに対して直接取り付けることなく、電子部品と平型柔軟ケーブルとを電気的に接続できるので、電子部品を簡単に取り外すことができる。
【００１７】
本発明に係る電子部品付きハウジングにおいて、前記カートリッジは、スライド移動して、前記ハウジングに対して取り付けられ、前記ハウジングは、第１ハウジング及び第２ハウジングを備えており、前記第１ハウジングは、撓み変形が可能なアーム部を備え、当該アーム部の先端には、抜け止め用突出部が形成され、前記抜け止め用突出部は、前記カートリッジの前記スライド移動の方向に関して、前記カートリッジが抜けないように、前記カートリッジに引っ掛かり、前記第２ハウジングは、前記抜け止め用突出部が前記前記カートリッジから外れないように、前記アーム部の撓み変形を抑制してもよい。
【００１８】
この構成によると、スライド移動によって、カートリッジを、簡易且つ確実にハウジングに取り付けることができる。また、第２ハウジングによってアーム部の撓み変形が防止されるので、ハウジングとカートリッジとの分離が抑制される。また、アーム部が撓むために、抜け止め用突出部によってカートリッジの挿入が阻まれず、ハウジングに対してカートリッジを簡単に取り付けることができる。
【発明を実施するための最良の形態】
【００１９】
（ワイヤハーネスについて）
以下、本発明の実施の形態について図面を参照しつつ説明する。まず、本発明の第１実施形態に係るワイヤハーネスの全体構成について説明する。図１は、本発明の第１実施形態に係るワイヤハーネスの全体構成を示す斜視図である。図２は、ワイヤハーネスの概略図であり、（ａ）は平面図、（ｂ）はＡ−Ａ’線断面図を示すである。図３は、フラットケーブルのＥ−Ｅ’線断面図である。図４は、第１ハウジングの上面斜視図である。図５は、第１ハウジングの下面斜視図である。図６は、第１ハウジングの概略図であり、（ａ）は左側面図、（ｂ）は平面図、（ｃ）は正面図、（ｄ）は底面図、（ｅ）は右側面図である。図７は、第２ハウジングの斜視図である。図８は、第２ハウジングの概略図であり、（ａ）は左側面図、（ｂ）は平面図、（ｃ）は「正面図、（ｄ）は底面図、（ｅ）は右側面図を示すである。図９は、ケーブル用端子の斜視図である。図１０は、ケーブル用端子の概略図であり、（ａ）は平面図、（ｂ）は正面図、（ｃ）は底面図、（ｄ）は右側面図、（ｅ）は背面図を示すである。図１１は、カートリッジの斜視図である。図１２は、カートリッジの概略図であり、（ａ）は平面図、（ｂ）は正面図、（ｃ）は底面図、（ｄ）は右側面図を示すである。図１３は、ワイヤハーネスの組み立てについて説明するための分解斜視図である。図１４は、図１のワイヤハーネスから、第１ハウジング及びカートリッジを外した状態を示す分解斜視図である。
【００２０】
図１、図１３及び図１４に示すように、本実施形態に係るワイヤハーネス１は、フラットケーブル（平型柔軟ケーブル）３と、八つのケーブル用端子４と、カートリッジ５と、ハウジング６とを有する。カートリッジ５はＬＥＤ５１を備えており、ワイヤハーネス１は、アミューズメント機器の電飾等に利用される。以下、各部の詳細について説明する。
【００２１】
（フラットケーブル）
本実施形態において、フラットケーブル（平型柔軟ケーブル）３は、ＦＦＣ（Flexible Flat Cable）である。また、ワイヤハーネス１において、フラットケーブル３は、第１ケーブル３１と、第２ケーブル３２とを有して構成される（図１、図２（ａ）等参照）。第１ケーブル３１と第２ケーブル３２とは分離されている（図１３、図１４参照）。また、本実施形態において、電流の流れる方向は、図１の矢印Ｃ方向であり、第１ケーブル３１は上流側に、第２ケーブル３２は下流側に配置されている。なお、平型柔軟ケーブルは、ＦＰＣであってもよい。
【００２２】
図３に示すように、フラットケーブル３の内部には、四本の導体が配置されている。図３は、第２ケーブル３２の断面を示しており、第２ケーブル３２の内部には、四本の導体３４ａ、導体３４ｂ、導体３４ｃ、及び、導体３４ｄが配置されている。また、これらの導体の周囲は、絶縁被覆部３５によって覆われている。絶縁被覆部３５の材料としては、ＰＥＴ（ポリエチレンテレフタラート）などが用いられる。
【００２３】
第１ケーブル３１の内部にも、四本の導体３３ａ、導体３３ｂ、導体３３ｃ、及び、導体３３ｄが配置されている（図１参照）。なお、図１において、それぞれの導体は表面に表れない。
【００２４】
ワイヤハーネス１において、導体３３ｂは導体３４ｂに対して、導体３３ｃは導体３４ｃに対して、また、導体３３ｄは導体３４ｄに対して、ＬＥＤ５１を介して電気的に接続される。また、導体３３ｂ、導体３３ｃ、導体３３ｄ、導体３４ｂ、導体３４ｃ、及び導体３４ｄは、図示しない電源に、電気的に接続されており、これらの導体には、後述するＬＥＤ５１に電力を供給するために、電流が流される。
【００２５】
また、導体３３ａ及び導体３４ａは、グラウンド（接地）用の導体であり、導体３３ａ及び導体３４ａは、グラウンド用端子６５ａ（後述）を介して、電気的に接続されている。なお、ここでは、第１ケーブル３１及び第２ケーブル３２の一組の導体（例えば、導体３３ａ及び導体３４ａ）を、一本の導体として扱う。従って、フラットケーブル３は、四本の導体を備える。
【００２６】
（ハウジング）
ハウジング６は、ＬＥＤ５１がフラットケーブル３から外れないように、カートリッジ５を支持する。また、ハウジング６は、第１ハウジング６１及び第２ハウジング６２を備えている（図１及び図２参照）。第１ハウジング６１及び第２ハウジング６２は、互いに分離しており、それぞれが独立した部材となっている（図１３参照）。また、ハウジング６は、ＬＥＤ５１及びフラットケーブル３の電気的接続（ＬＥＤ５１及びフラットケーブル３が電気的に接続された状態）を維持するように機能する。ハウジング６の材料は、グラウンド用端子６５ａ（後述）を除いて合成樹脂である。
【００２７】
ワイヤハーネス１においては、八つのケーブル用端子４が、ハウジング６の内部に収容され、ハウジング６は、絶縁カバーとして機能する。そのため、絶縁テープ等が不要となる。また、第１ハウジング６１及び第２ハウジング６２の組み立て方向は、図１及び図１３の矢印Ｄ方向となる。
【００２８】
（第１ハウジング）
第１ハウジング６１は、本体部６１ｃ、アーム部６１ｂ、四つの接続部６１ｄ、及び、グラウンド用端子６５ａを含む（図４乃至図６参照）。アーム部６１ｂは、本体部６１ｃから連続して形成されている。アーム部６１ｂは、その片方の端部（根元部）のみが本体部６１ｃによって支持されており、アーム部６１ｂは、矢印Ｄ方向に関して撓み変形が可能となっている。
【００２９】
アーム部６１ｂの先端には、抜け止め用突出部６１ｔが形成されている。抜け止め用突出部６１ｔには、カートリッジ５の側面に面する接触面が形成されている。そして、抜け止め用突出部６１ｔは、カートリッジ５のスライド方向（図の矢印Ｂ方向）に関して、カートリッジ５が抜けないように、カートリッジ５に引っ掛かる。
【００３０】
また、アーム部６１ｂは、カートリッジ５の底部を支持するように構成されている。すなわち、アーム部６１ｂがあることによって、カートリッジ５の、下方への移動が制限される（図２（ｂ）等参照）。
【００３１】
また、第１ハウジング６１には、カートリッジ収容空間６１ｇが形成されている。カートリッジ５がハウジング６に取り付けられた状態において、カートリッジ５は、カートリッジ収容空間６１ｇに収容される。
【００３２】
また、第１ハウジング６１には、カートリッジ収容空間６１ｇに面するように、二つの第１ガイド面６１ｊ、二つの第２ガイド面６１ｎ、二つの第３ガイド面６１ｐ、及び、端面６１ｋが形成されている（図４乃至図６参照）。二つの第１ガイド面６１ｊ、二つの第２ガイド面６１ｎ、二つの第３ガイド面６１ｐ、及び、端面６１ｋは、本体部６１ｃの一部である。また、二つの第１ガイド面６１ｊ、及び、二つの第３ガイド面６１ｐは、カートリッジ５のスライド移動に関するガイド部として機能する。また、端面６１ｋは、二つの第３ガイド面６１ｐから連続して形成されている。また、二つの第２ガイド面６１ｎは、本体部６１ｃの底面の一部である（図５及び図６（ｄ）参照）。
【００３３】
二つの第２ガイド面６１ｎは、カートリッジ５の浮き上がりを防止する機能を有する。具体的には、カートリッジ収容空間６１ｇに収容されたカートリッジ５が、上方（図６（ｃ）における上方）へ抜けないように、カートリッジ５の、六つの電子部品用端子が、二つの第２ガイド面６１ｎによって支持される。
【００３４】
また、第１ハウジング６１の、カートリッジ収容空間６１ｇへの入り口付近には、二つの傾斜面６１ｑが形成されている（図４参照）。また、二つの傾斜面６１ｑのそれぞれは、第３ガイド面６１ｐから連続して形成されている。二つの傾斜面６１ｑにより、カートリッジ収容空間６１ｇの入り口が広がっている。
【００３５】
また、第１ハウジング６１の四つの接続部６１ｄは、本体部６１ｃから連続して形成されている。それぞれの接続部６１ｄの内側には、貫通孔６１ｅが形成されており、また、貫通孔６１ｅに面するように、接続面６１ｆが形成されている。それぞれの接続面６１ｆには、後述する第２ハウジング６２の突出部６２ｇが引っ掛かるようになっている。また、梁部６１ｍが、二つの接続部６１ｄの間の位置に配置されている。
【００３６】
第１ハウジング６１の底面側には、グラウンド用端子６５ａが配置されている（図５及び図６（ｄ）参照）。また、本体部６１ｃから連続して、逆嵌合防止用突出部６１ｖが形成されている（図４、図５、図６（ａ）、図６（ｂ）、及び図６（ｄ）参照）。
【００３７】
（第２ハウジング）
第２ハウジング６２は、本体部６２ａ、壁部６２ｂ、四つのケーブル押さえ部６２ｃ、四つの仕切り壁部６２ｄ、四つの突出部６２ｇ、支持壁部６２ｔ、及び、逆嵌合防止用溝部６２ｖを含む（図７及び図８参照）。第２ハウジング６２は、第１ハウジング６１の抜け止め用突出部６１ｔがカートリッジ５から外れないように、アーム部６１ｂの撓み変形を抑制する。
【００３８】
支持壁部６２ｔは、スライド方向Ｂに沿って、第２ハウジング６２の中央部に配置されており、上流側の四つのケーブル用端子４と、下流側の四つのケーブル用端子４との間の絶縁部材として機能する（図７、図１４参照）。また、支持壁部６２ｔは、第１ハウジング６１に形成されたアーム部６１ｂの撓みを防止する機能を有する（図２（ｂ）参照）。
【００３９】
壁部６２ｂには、突き当たり面６２ｚが形成されている（図２（ｂ）、図８（ｂ）参照）。第１ハウジング６１の抜け止め用突出部６１ｔ、及び、第２ハウジング６２の支持壁部６２ｔによって、カートリッジ５は、スライド方向に関して抜けないようになっている（図２（ｂ）参照）。そして、さらに、第２ハウジング６２に突き当たり面６２ｚが形成されていることにより、カートリッジ５がハウジング６に取り付けられた状態が、確実に維持されるようになっている（図２（ｂ）参照）。
【００４０】
また、本体部６２ａには、八つの端子用溝、すなわち、端子用溝６３ａ、端子用溝６３ｂ、端子用溝６３ｃ、端子用溝６３ｄ、端子用溝６４ａ、端子用溝６４ｂ、端子用溝６４ｃ、及び、端子用溝６４ｄが形成されている（図７参照）。これらの端子用溝のそれぞれには、ケーブル用端子４が配置される（図１４参照）。
【００４１】
また、四つの仕切り壁部６２ｄは、カートリッジ５の六つの電子部品用端子（後述）の間に入り、六つの電子部品用端子の間の絶縁部材として機能する。また、四つの仕切り壁部６２ｄは、スライド方向に関する、カートリッジ５の抜け止めの機能をも有する。
【００４２】
また、本体部６２ａには、四つの突出部６２ｇが形成されており、これらの突出部６２ｇのそれぞれは、第１ハウジング６１の接続部６１ｄ（接続面６１ｆ）に対して引っ掛けられる。
【００４３】
また、本体部６２ａには、四つのケーブル押さえ部６２ｃが形成されており、フラットケーブル３（第１ケーブル３１及び第２ケーブル３２）は、四つの本体部６２ａと、第２ハウジング６２の底板との間に挟まれる。また、逆嵌合防止用溝部６２ｖは、第１ハウジング６１に形成された逆嵌合防止用突出部６１ｖが入り込めるように形成されている。また、逆嵌合防止用溝部６２ｖは、組み立て方向Ｄに沿って形成されており、ハウジング６の組み立て時には、第１ハウジング６１の逆嵌合防止用突出部６１ｖが逆嵌合防止用溝部６２ｖに沿ってスライド移動することにより、第１ハウジング６１及び第２ハウジング６２が、組み立て方向Ｄに沿って組み立てられる。
【００４４】
（ケーブル用端子）
ケーブル用端子４は、フラットケーブル３のそれぞれの導体に対して電気的に接続されるものである。また、八つのケーブル用端子４は、カートリッジ５の六つの電子部品用端子（後述）、及び、グラウンド用端子６５ａに対して電気的に接続される。そして、カートリッジ５及びフラットケーブル３は、六つのケーブル用端子４を介して、電気的に接続される。また、ＬＥＤ５１及びフラットケーブル３は、六つの電子部品用端子及び六つのケーブル用端子４を介して、電気的に接続される。
【００４５】
それぞれのケーブル用端子４は、先端部４１、基部４２、貫通部４４ａ、及び貫通部４４ｂを有する（図９参照）。先端部４１には、カートリッジ５の電子部品用端子（後述）に対して接触する接触部４１ｃ、及び、根元部分の湾曲部４１ｒが含まれる。接触部４１ｃは、湾曲形成された先端部４１の頂上部である。貫通部４４ａ及び貫通部４４ｂは、基部４２から連続して形成されている。
【００４６】
先端部４１はばね状になっており、接触部４１ｃが基部４２方向へ押されると、先端部４１は弾性的に変形する。そして、カートリッジ５がハウジング６に取り付けられた状態において、カートリッジ５のそれぞれの電子部品用端子は、ケーブル用端子４の先端部４１を弾性的に撓ませるように、接触部４１ｃに対して押し付けられる。すなわち、ケーブル用端子４は、コンプレッション型の端子である。
【００４７】
フラットケーブル３に対する、ケーブル用端子４の取り付けについて説明する。まず、貫通部４４ａ及び貫通部４４ｂをフラットケーブル３に貫き通す。これにより、貫通部４４ａ及び４４ｂが導体を貫通し、ケーブル用端子４は、導体に対して電気的に接続される。次に、貫通部４４ａ及び貫通部４４ｂを、根元部付近において曲げる（図１３及び図１４参照）。それぞれのケーブル用端子４は、このようにしてフラットケーブル３に取り付けられる。
【００４８】
（カートリッジ）
図１１に示すカートリッジ５は、ＬＥＤ５１、ＬＥＤ用ハウジング５４、及び、六つの電子部品用端子を含み、且つ交換可能な部品である。カートリッジ５は、電子部品であるＬＥＤ５１を備える。また、ＬＥＤ５１には、六つの電子部品用端子、すなわち、電子部品用端子５２ｂ、電子部品用端子５２ｃ、電子部品用端子５２ｄ、電子部品用端子５３ｂ、電子部品用端子５３ｃ、及び、電子部品用端子５３ｄが取り付けられている（図１２参照）。
【００４９】
ＬＥＤ５１と、六つの電子部品用端子とは、電気的に接続されている。また、電子部品用端子５２ｂ及び電子部品用端子５３ｂは、ＬＥＤ５１を介して電気的に接続されている。電子部品用端子５２ｃ及び電子部品用端子５３ｃ、並びに、電子部品用端子５２ｄ及び電子部品用端子５３ｄについても、それぞれ同様に、ＬＥＤ５１を介して電気的に接続されている。また、それぞれの電子部品用端子は、一つのケーブル用端子４に対して電気的に接続される。
【００５０】
ＬＥＤ５１は、三極のＬＥＤである。なお、本実施形態において、ＬＥＤは三極であるが、ＬＥＤは、一極、二極、又は、四極以上のものであってもよい。そして、電子部品用端子の数は、六つには限られず、二つ、又は、四つであってもよいし、八つ以上であってもよい。
【００５１】
また、ＬＥＤ用ハウジング５４は、ＬＥＤ５１を収容できるようになっている。ＬＥＤ用ハウジング５４の材料は合成樹脂である。
【００５２】
カートリッジ５は、スライド移動して、ハウジング６に対して取り付けられる。また、カートリッジ５のスライド方向（カートリッジ５のスライド移動の方向）は、図の矢印Ｂ方向である。
【００５３】
また、カートリッジ５においては、それぞれの電子部品用端子が、組み立て方向Ｄに関して、カートリッジ５が抜けないようにするための、抜け止め部として機能する。すなわち、第１ハウジング６１に形成された二つの第２ガイド面６１ｎに、六つの電子部品用端子のそれぞれが面することによって、カートリッジ５が、ハウジング６から、組み立て方向Ｄに沿って、上方（図６（ｂ）における上方）へと抜けないようになっている。
【００５４】
より具体的には、カートリッジ５の平面図において、六つの電子部品用端子は、ＬＥＤ用ハウジング５４からはみ出るように形成され、且つ、配置されている（図１２（ａ）参照）。そして、このはみ出た部分の上面（図１２（ｂ）における上面）が、二つの第２ガイド面６１ｎに面するようになっている。
【００５５】
カートリッジ５のスライド移動の際に、ＬＥＤ用ハウジング５４は、二つの第３ガイド面６１ｐに沿ってガイドされる。また、カートリッジ５のスライド移動の際に、六つの電子部品用端子は、二つの第１ガイド面６１ｊに沿ってガイドされる。
【００５６】
（電子部品付きハウジング）
電子部品付きハウジング２は、フラットケーブル３に対して取り付けられるものであり、カートリッジ５及びハウジング６から構成される。すなわち、ワイヤハーネス１は、電子部品付きハウジング２と、八つのケーブル用端子４と、フラットケーブル３とを有する。
【００５７】
カートリッジ５がハウジング６に取り付けられた状態において、カートリッジ５は、それぞれのケーブル用端子４の、ばね状の先端部４１に対して押し付けられる。そして、カートリッジ５は、六つのケーブル用端子４からの反作用を受けて押し返される。しかし、カートリッジ５は、ハウジング６に設けられた二つの第２ガイド面６１ｎによって、持ち上がらないように支持される。さらに、グラウンド用端子６５ａもまた、二つのケーブル用端子４に対して押し付けられる。
【００５８】
このようにして、カートリッジ５の六つの電子部品用端子と、六つのケーブル用端子４とが密着し、これらが、電気的に確実に接続される。また、グラウンド用端子６５ａ、及び、二つのケーブル用端子４についても、電気的に確実に接続される。そして、その結果、導体３３ａが導体３４ａに対して、導体３３ｂが導体３４ｂに対して、導体３３ｃが導体３４ｃに対して、また、導体３３ｄが導体３４ｄに対して、電気的に接続される。そして、フラットケーブル３に電流が流れると、ＬＥＤ５１に電力が供給され、ＬＥＤ５１が発光する。
【００５９】
また、アーム部６１ｂの先端の抜け止め用突出部６１ｔが、カートリッジ５に引っ掛かる。そのため、抜け止め用突出部６１ｔは、カートリッジ５のスライド方向（図の矢印Ｂ方向）に関して、カートリッジ５が抜けないように、カートリッジ５を支持する。そして、第２ハウジング６２の仕切り壁部６２ｄによって、アーム部６１ｂの変形が抑制される。すなわち、第２ハウジング６２は、抜け止め用突出部６１ｔがカートリッジ５から外れないように、アーム部６１ｂの変形を抑制する。
【００６０】
カートリッジ５は、ＬＥＤ５１がフラットケーブル３から外れてしまわないように、ハウジング６によって支持される。具体的には、（i）六つのケーブル用端子４に対して押し付けられたカートリッジ５が、ハウジング６に設けられた二つの第２ガイド面６１ｎによって支持される。（ii）抜け止め用突出部６１ｔがカートリッジ５に引っ掛かることにより、カートリッジ５がスライド方向に移動することが抑制される。さらに、アーム部６１ｂの撓み変形が、支持壁部６２ｔによって制限されることにより、抜け止め用突出部６１ｔがカートリッジ５に引っ掛かった状態が、確実に維持される。（iii）四つの仕切り壁部６２ｄが、カートリッジ５の六つの電子部品用端子５３ｄの間に入るために、カートリッジ５のスライド方向に関する移動が制限される。（iv）壁部６２ｂによって、カートリッジ５のスライド方向に関する移動がさらに確実に制限される。
【００６１】
なお、ハウジングによるカートリッジの支持形態は、上記の（i）〜（iv）のようなものには限られず、電子部品とフラットケーブルとの電気的な接続が維持されるものであればよい。例えば、ハウジングが、上記の（i）〜（iv）の全ての機能を有している必要はなく、(i)の機能だけを有していてもよい。この場合には、複数の電子部品用端子と二つの第２ガイド面６１ｎとの間の摩擦力によって、スライド方向に関するカートリッジ５の移動が制限されるようにしてもよい。
【００６２】
また、カートリッジ５がハウジング６に取り付けられた状態において、矢印Ｄ方向に関するカートリッジ５の移動は、アーム部６１ｂ、支持壁部６２ｔ、及び、二つの第２ガイド面６１ｎによって制限される。また、矢印Ｄ方向に垂直な方向に関するカートリッジ５の移動は、二つの第１ガイド面６１ｊ、二つの第３ガイド面６１ｐ、四つの仕切り壁部６２ｄ、端面６１ｋ、抜け止め用突出部６１ｔ、支持壁部６２ｔ、及び壁部６２ｂによって制限される。
【００６３】
（ワイヤハーネスの組み立て方法について）
次に、ワイヤハーネス１及び電子部品付きハウジング２の組み立て方法について説明する。予め、フラットケーブル３（第１ケーブル３１及び第２ケーブル３２）に対しては、上記の方法により、八つのケーブル用端子４が取り付けられているものとする（図１３の中央参照）。
【００６４】
まず、カートリッジ５を、第１ハウジング６１に対して取り付ける（カートリッジ取り付け工程）。このとき、カートリッジ５を、梁部６１ｍの上部へ乗せ、そのままスライド方向に押すと、カートリッジ５は、スライド移動して、ハウジング６に対して取り付けられる。このスライド移動の際には、まず、カートリッジ５と抜け止め用突出部６１ｔとが接触し、アーム部６１ｂは、弾性変形により一旦下方（第２ハウジング６２側）へ撓む。そして、カートリッジ５が、カートリッジ収容空間６１ｇに収容された状態では、アーム部６１ｂは元の状態へと戻る。
【００６５】
また、取り付け工程の開始時に、梁部６１ｍにカートリッジ５を置くことによって、カートリッジ５を、アーム部６１ｂに乗り上げ易い位置に配置することができ、ハウジング６に対してカートリッジ５を取り付け易くなる。
【００６６】
また、カートリッジ収容空間６１ｇの入り口付近に、二つの傾斜面６１ｑが形成されているため、カートリッジ５を、二つの第３ガイド面６１ｐの間へ移動させ易い。
【００６７】
本工程においては、カートリッジ５のスライド移動の際に、ＬＥＤ用ハウジング５４が二つの第３ガイド面６１ｐに接触し、六つの電子部品用端子が二つの第１ガイド面６１ｊ及び二つの第２ガイド面６１ｎに接触する。このようにして、カートリッジ５が、第１ハウジング６１の内部へと押し込まれる。
【００６８】
そして、本工程においては、ＬＥＤ用ハウジング５４が、二つの第３ガイド面６１ｐによってガイドされ、且つ、六つの電子部品用端子が、二つの第１ガイド面６１ｊによってガイドされることによって、カートリッジ５が、スライド方向であるＢ方向に沿ってスライド移動する。また、六つの電子部品用端子が、二つの第２ガイド面６１ｎに引っ掛けられるために、スライド移動の間、カートリッジ５が、ハウジング６から持ち上がって抜け出ることがない。
【００６９】
本工程を経て、アーム部６１ｂは、上流側の三つの電子部品用端子（電子部品用端子５３ｂ、電子部品用端子５３ｃ、及び電子部品用端子５３ｄ）と、下流側の三つの電子部品用端子（電子部品用端子５２ｂ、電子部品用端子５２ｃ、及び電子部品用端子５２ｄ）との間に挟まれる位置に配置される。そのため、アーム部６１ｂは、端子間の絶縁部材としても機能する。また、四つの仕切り壁部６２ｄの先端部が、六つの電子部品用端子の間に入る。
【００７０】
本工程を経て、カートリッジ５が取り付けられた第１ハウジング６１は、図１３の上部に示すような状態となる。この状態では、カートリッジ５の、スライド方向に関して手前側への移動が、抜け止め用突出部６１ｔによって制限される。
【００７１】
次に、フラットケーブル３及び八つのケーブル用端子４を、第２ハウジング６２に対して取り付ける（ケーブル取り付け工程）。フラットケーブル３及び八つのケーブル用端子４が取り付けられた第２ハウジング６２は、図１４に示すような状態となる。
【００７２】
次に、カートリッジ５が取り付けられた第１ハウジング６１を、第２ハウジング６２に対して取り付ける（ハウジング組み立て工程）。これにより、ハウジング６が形成される。また、ワイヤハーネス１及び電子部品付きハウジング２の組み立てが完了する。
【００７３】
本工程では、第１ハウジング６１及び第２ハウジング６２は、逆嵌合防止用突出部６１ｖが、逆嵌合防止用溝部６２ｖに沿ってスライドする。このようにして、第１ハウジング６１及び第２ハウジング６２の逆嵌合が防止され、また、第１ハウジング６１及び第２ハウジング６２の確実な組み立てが可能となる。
【００７４】
また、本工程を経た状態では、カートリッジ５の、スライド方向に関して手前側への移動が、抜け止め用突出部６１ｔ及び四つの仕切り壁部６２ｄによって制限される。
【００７５】
なお、本実施形態に係るワイヤハーネス１及び電子部品付きハウジング２は、（i）カートリッジ取り付け工程、（ii）ケーブル取り付け工程、（iii）ハウジング取り付け工程、という順番で組み立てられるように構成されている。しかし、ワイヤハーネスの組み立て方法は、このような順番には限られない。例えば、ケーブル取り付け工程、ハウジング取り付け工程、カートリッジ取り付け工程、という順番で組み立てられるように、ワイヤハーネス及び電子部品付きハウジングが構成されていてもよい。
【００７６】
（カートリッジの取り外しについて）
次に、カートリッジ５の、ハウジング６からの取り外し方法について説明する。まず、専用工具等を用いて、四つの突出部６２ｇが四つの接続部６１ｄへ引っ掛かった状態を解除する。そして、第１ハウジング６１及びカートリッジ５を、第２ハウジング６２から取り外す。
【００７７】
その後、アーム部６１ｂの抜け止め用突出部６１ｔを、工具等を用いて下方へ押して、アーム部６１ｂを下方へ撓ませ、カートリッジ５をスライド移動させて第１ハウジング６１から取り外す。ＬＥＤ５１の耐用期間が経過したときには、このように、ＬＥＤ５１を、ワイヤハーネス単位ではなく、カートリッジ単位で交換することができる。
【００７８】
（効果）
次に、本実施形態に係るワイヤハーネス１及び電子部品付きハウジング２の効果について説明する。ワイヤハーネス１は、四本の導体を備えるフラットケーブル３と、四本の導体に対して接続された八つのケーブル用端子４と、ＬＥＤ５１を備えるカートリッジ５と、カートリッジ５を支持するハウジング６と、を有し、ＬＥＤ５１には、六つのケーブル用端子４に対して接続される六つの電子部品用端子が取り付けられており、ハウジング６は、ＬＥＤ５１及びフラットケーブル３が電気的に接続された状態を維持する。
【００７９】
この構成では、ＬＥＤ５１がカートリッジ５に含まれており、このカートリッジ５が、フラットケーブル３に直接取り付けられるのではなく、ハウジング６に対して取り付けられる。また、フラットケーブル３の四本の導体には、八つのケーブル用端子４が取り付けられており、ＬＥＤ５１は、四本の導体に直接接続されるのではなく、六つのケーブル用端子４に対して電気的に接続される。そして、ハウジング６によって、ＬＥＤ５１及びフラットケーブル３の電気的接続が維持される。このような構成によると、ＬＥＤ５１をフラットケーブル３に対して直接取り付けることなく、ＬＥＤ５１とフラットケーブル３とを電気的に接続できるので、ＬＥＤ５１を簡単に取り外すことができる。
【００８０】
また、ワイヤハーネス１において、カートリッジ５は、スライド移動して、ハウジング６に対して取り付けられ、ハウジング６は、第１ハウジング６１及び第２ハウジング６２を備えており、第１ハウジング６１は、撓み変形が可能なアーム部６１ｂを備え、当該アーム部６１ｂの先端には、抜け止め用突出部６１ｔが形成され、抜け止め用突出部６１ｔは、カートリッジ５のスライド移動の方向に関して、カートリッジ５が抜けないように、カートリッジ５に引っ掛かり、第２ハウジング６２は、抜け止め用突出部６１ｔがカートリッジ５から外れないように、アーム部６１ｂの撓み変形を抑制する。
【００８１】
この構成によると、スライド移動によって、カートリッジ５を、簡易且つ確実にハウジング６に取り付けることができる。また、第２ハウジング６２によってアーム部６１ｂの撓み変形が防止されるので、ハウジング６とカートリッジ５との分離が抑制される。また、アーム部６１ｂが撓むために、抜け止め用突出部６１ｔによってカートリッジ５の挿入が阻まれず、ハウジング６に対してカートリッジ５を簡単に取り付けることができる。
【００８２】
また、電子部品付きハウジング２は、四本の導体を備えるフラットケーブル３に対して取り付けられるものであって、ＬＥＤ５１を備えるカートリッジ５と、カートリッジ５を支持するハウジング６と、を有し、ＬＥＤ５１には、六つの電子部品用端子が取り付けられており、六つの電子部品用端子は、三本の導体に対して接続された六つのケーブル用端子に対して接続され、ハウジング６は、ＬＥＤ５１及びフラットケーブル３が電気的に接続された状態を維持する。
【００８３】
この構成によると、ＬＥＤ５１をフラットケーブル３に対して直接取り付けることなく、ＬＥＤ５１とフラットケーブル３とを電気的に接続できるので、ＬＥＤ５１を簡単に取り外すことができる。
【００８４】
また、電子部品付きハウジング２において、カートリッジ５は、スライド移動して、ハウジング６に対して取り付けられ、ハウジング６は、第１ハウジング６１及び第２ハウジング６２を備えており、第１ハウジング６１は、撓み変形が可能なアーム部６１ｂを備え、当該アーム部６１ｂの先端には、抜け止め用突出部６１ｔが形成され、抜け止め用突出部６１ｔは、カートリッジ５のスライド移動の方向に関して、カートリッジ５が抜けないように、カートリッジ５に引っ掛かり、第２ハウジング６２は、抜け止め用突出部６１ｔがカートリッジ５から外れないように、アーム部６１ｂの撓み変形を抑制する。
【００８５】
この構成によると、スライド移動によって、カートリッジ５を、簡易且つ確実にハウジング６に取り付けることができる。また、第２ハウジング６２によってアーム部６１ｂの撓み変形が防止されるので、ハウジング６とカートリッジ５との分離が抑制される。また、アーム部６１ｂが撓むために、抜け止め用突出部６１ｔによってカートリッジ５の挿入が阻まれず、ハウジング６に対してカートリッジ５を簡単に取り付けることができる。
【００８６】
また、上記のワイヤハーネス１及び電子部品付きハウジング２の構成では、ＬＥＤ５１の耐用期間が経過した場合であっても、ワイヤハーネス１全体を交換する必要がなく、カートリッジ５のみを交換すればよい。また、フラットケーブル３及びＬＥＤ５１を破損させることなく、カートリッジ５を交換できる。そのため、作業効率が向上し、交換コストが低減する。
【００８７】
また、上記のワイヤハーネス１及び電子部品付きハウジング２の構成では、ＬＥＤ５１を再利用する場合に、ＬＥＤ５１を破損させることなく、カートリッジ５のみを、ハウジング６から取り出すことができる。
【００８８】
また、ワイヤハーネス１及び電子部品付きハウジング２の構成では、ＬＥＤ５１などの電子部品を交換する場合の他、電子部品の修理等をする場合にも、カートリッジのみを取り外せばよい。
【００８９】
また、上記のワイヤハーネス１の構成では、カートリッジ５とフラットケーブルとが半田付けられていない。また、それぞれのケーブル用端子４とフラットケーブル３とが半田付けされていない。そのため、これらの接続時に、各部品に熱が加えられることがない。
【００９０】
また、ワイヤハーネス１の構成では、フラットケーブル３が二つに分かれている。そのため、ケーブル用端子４の取り付け加工に失敗した場合であっても、第１ケーブル３１及び第２ケーブル３２の一方のみの交換で済み、フラットケーブル３全体を交換する必要がない。
【００９１】
また、この構成によると、カートリッジ５のそれぞれの電子部品用端子を、組み立て方向に関する抜け止め部として有効に利用できる。
【００９２】
（第２実施形態）
次に、本発明の第２実施形態に係るワイヤハーネスについて、上記の実施形態と異なる部分を中心に説明する。なお、上記の実施形態と同様の部分については、図に同一の符号を付してその説明を省略する。図１５は、本発明の第２実施形態に係るワイヤハーネスを示す概略図であり、（ａ）は全体斜視図、（ｂ）は分解斜視図を示すである。
【００９３】
本実施形態に係るワイヤハーネス１０１は、終端部として用いられるものであり、図１５に示すように、電子部品付きハウジング２には、第１ケーブル３１のみが接続されており、第２ケーブルは取り付けられていない。また、電子部品付きハウジング２内には、四つのケーブル用端子４と、一つの終端部用端子１０４とが収容されている（図１５（ｂ）参照）。終端部用端子１０４には、基部１４２と、四つの先端部１４１とが含まれ、四つの先端部１４１は、一つの基部１４２から連続して形成されている。また、それぞれの先端部１４１は接触部１４１ｃを含み、先端部１４１及び接触部１４１ｃは、上記の実施形態の先端部４１及び接触部４１ｃに相当する。ワイヤハーネスは、このように構成されていてもよい。
【００９４】
（第３実施形態）
次に、本発明の第３実施形態に係るワイヤハーネスについて、上記の実施形態と異なる部分を中心に説明する。なお、上記の実施形態と同様の部分については、図に同一の符号を付してその説明を省略する。図１６は、本発明の第３実施形態に係るワイヤハーネスを示す斜視図である。
【００９５】
本実施形態に係るワイヤハーネス２０１は、電子部品付きハウジング２を五つ有する。また、本実施形態においては、フラットケーブル３の途中から、別のフラットケーブル３が分岐するように構成されている。具体的には、四つの分岐接続用端子７を用いて、フラットケーブル３に対して、別のフラットケーブル３が接続されている。それぞれの分岐接続用端子７は、ピアシング加工により、重ねられた二つのフラットケーブル３の、二つの導体を貫通している。これにより、フラットケーブル３が分岐し、接続された他のフラットケーブル３及び電子部品付きハウジング２にも電流が流れるようになる。ワイヤハーネスはこのように構成されていてもよい。
【００９６】
以上、本発明の実施形態について説明したが、本発明は上述の実施形態に限られるものではなく、本発明の範囲内において様々に変更して実施することができる。
【００９７】
上記の実施形態では、ハウジングが、独立した二つのハウジング（第１ハウジング及び第２ハウジング）を備えているが、ハウジングは、ヒンジ等を介して一体化されたものであってもよい。また、ハウジングは、電子部品が平型柔軟ケーブルから外れないようにカートリッジを支持できるものであればよく、ハウジングが、ケーブル用端子の周囲を覆っていなくてもよい。すなわち、ハウジングは、絶縁カバーとして機能しなくてもよい。
【００９８】
また、上記の実施形態では、電子部品付きハウジングが、完全に切断されたフラットケーブル（第１ケーブル及び第２ケーブル）に対して接続されているが、電子部品つきハウジングは、部分的に切断されて形成された切断部を跨ぐように配置されてもよい。また、フラットケーブルに切断部はなくてもよく、電子部品付きハウジングは、全く切断されていないフラットケーブルに対して、電気的に接続されていてもよい。
【００９９】
また、上記の実施形態において、ハウジングの殆どの部分の材料は合成樹脂であるが、ハウジングの材料は合成樹脂には限られず、ハウジングは金属製であってもよい。また、ハウジングは、合成樹脂と金属との組み合わせであってもよい。
【０１００】
また、上記の実施形態では、（i）ＬＥＤ用ハウジング５４が二つの第３ガイド面６１ｐによってガイドされ、且つ、（ii）六つの電子部品用端子が、二つの第１ガイド面６１ｊによってガイドされる。しかし、（i）、（ii）の一方のみの作用により、カートリッジがスライド移動してもよい。また、カートリッジが、ハウジングに対して、スライド移動によって取り付けられなくてもよい。
【０１０１】
また、上記の実施形態において、カートリッジのそれぞれの電子部品用端子は、カートリッジが抜けないようにするための、抜け止め部として機能しているが、それぞれの電子部品用端子は、抜け止め部としての機能を有していなくてもよい。
【図面の簡単な説明】
【０１０２】
【図１】本発明の第１実施形態に係るワイヤハーネスの全体構成を示す斜視図である。
【図２】ワイヤハーネスの概略図であり、（ａ）は平面図、（ｂ）はＡ−Ａ’線断面図を示す。
【図３】フラットケーブルのＥ−Ｅ’線断面図である。
【図４】第１ハウジングの上面斜視図である。
【図５】第１ハウジングの下面斜視図である。
【図６】第１ハウジングの概略図であり、（ａ）は左側面図、（ｂ）は平面図、（ｃ）は正面図、（ｄ）は底面図、（ｅ）は右側面図である。
【図７】第２ハウジングの斜視図である。
【図８】第２ハウジングの概略図であり、（ａ）は左側面図、（ｂ）は平面図、（ｃ）は「正面図、（ｄ）は底面図、（ｅ）は右側面図を示す。
【図９】ケーブル用端子の斜視図である。
【図１０】ケーブル用端子の概略図であり、（ａ）は平面図、（ｂ）は正面図、（ｃ）は底面図、（ｄ）は右側面図、（ｅ）は背面図を示す。
【図１１】カートリッジの斜視図である。
【図１２】カートリッジの概略図であり、（ａ）は平面図、（ｂ）は正面図、（ｃ）は底面図、（ｄ）は右側面図を示す。
【図１３】ワイヤハーネスの組み立てについて説明するための分解斜視図である。
【図１４】図１のワイヤハーネスから、第１ハウジング及びカートリッジを外した状態を示す分解斜視図である。
【図１５】本発明の第２実施形態に係るワイヤハーネスを示す概略図であり、（ａ）は全体斜視図、（ｂ）は分解斜視図を示す。
【図１６】本発明の第３実施形態に係るワイヤハーネスを示す斜視図である。
【符号の説明】
【０１０３】
１    ワイヤハーネス
２    電子部品付きハウジング
３    フラットケーブル（平型柔軟ケーブル）
３１    第１ケーブル
３２    第２ケーブル
３３ａ、３３ｂ、３３ｃ、３３ｄ    導体
３４ａ、３４ｂ、３４ｃ、３４ｄ    導体
３５    絶縁被覆部
４    ケーブル用端子
４１    先端部
４１ｃ    接触部
４１ｒ    湾曲部
４２    基部
４４ａ    貫通部
４４ｂ    貫通部
５    カートリッジ
５１    ＬＥＤ（電子部品）
５２ｂ、５２ｃ、５２ｄ    電子部品用端子
５３ｂ、５３ｃ、５３ｄ    電子部品用端子
５４    ＬＥＤ用ハウジング
６    ハウジング
６１    第１ハウジング
６１ｂ    アーム部
６１ｃ    本体部
６１ｄ    接続部
６１ｅ    貫通孔
６１ｆ    接続面
６１ｇ    カートリッジ収容空間
６１ｊ    第１ガイド面
６１ｋ    端面
６１ｍ    梁部
６１ｎ    第２ガイド面
６１ｐ    第３ガイド面
６１ｑ    傾斜面
６１ｔ    抜け止め用突出部
６１ｖ    逆嵌合防止用突出部
６２    第２ハウジング
６２ａ    本体部
６２ｂ    壁部
６２ｃ    ケーブル押さえ部
６２ｄ    仕切り壁部
６２ｇ    突出部
６２ｔ    支持壁部
６２ｖ    逆嵌合防止用溝部
６２ｚ    突き当たり面
６３ａ、６３ｂ、６３ｃ、６３ｄ    端子用溝
６４ａ、６４ｂ、６４ｃ、６４ｄ    端子用溝
６５ａ    グラウンド用端子
７    分岐接続用端子
【図１】
2009277548.tif 000003
【図２】
2009277548.tif 000004
【図３】
2009277548.tif 000005
【図４】
2009277548.tif 000006
【図５】
2009277548.tif 000007
【図６】
2009277548.tif 000008
【図７】
2009277548.tif 000009
【図８】
2009277548.tif 000010
【図９】
2009277548.tif 000011
【図１０】
2009277548.tif 000012
【図１１】
2009277548.tif 000013
【図１２】
2009277548.tif 000014
【図１３】
2009277548.tif 000015
【図１４】
2009277548.tif 000016
【図１５】
2009277548.tif 000017
【図１６】
2009277548.tif 000018